(57)【要約】【課題】任意の場所で携帯通信端末１００のモード設定切替えを行うことを可能とし、また、携帯通信端末１００の消費電流の増大を抑えることを目的とする【解決手段】所定の基地局と接続しているか否かを判定する基地局判定部１２２と、基地局判定部１２２が基地局と接続していると判定した場合、位置を示す位置情報を取得する位置情報取得部１３０と、位置情報取得部１３０が取得した位置情報に基づき、所定の機能の実行を制限する機能制限部１４０とを備える。【選択図】図２
2007142905.tif 000002
【特許請求の範囲】
【請求項１】
所定の基地局を特定する基地局特定情報を記憶装置に記憶する基地局記憶部と、
上記基地局記憶部が記憶した基地局特定情報から特定される基地局と接続しているか否かを処理装置により判定する基地局判定部と、
上記基地局判定部が上記基地局と接続していると判定した場合、位置を示す位置情報を取得し記憶装置に記憶する位置情報取得部と、
上記位置情報取得部が取得した位置情報に基づき、所定の機能の実行を処理装置により制限する機能制限部と
を備えることを特徴とする携帯通信端末。
【請求項２】
上記携帯通信端末は、さらに、
所定の位置を特定する位置特定情報を記憶装置に記憶する位置記憶部を備え、
上記基地局記憶部は、上記位置記憶部が記憶した位置特定情報から特定される位置を通信範囲として含む基地局を特定する情報を基地局特定情報として記憶し、
上記携帯通信端末は、さらに、
上記位置情報取得部が取得した位置情報により示される位置が、上記位置特定情報から特定される位置を含む所定の範囲に含まれるか否かを処理装置により判定する位置判定部を備え、
上記機能制限部は、上記位置情報取得部が取得した位置情報により示される位置が、上記位置記憶部が記憶した位置の所定の範囲に含まれないと上記位置判定部が判定した場合、所定の機能の実行を制限する
ことを特徴とする請求項１記載の携帯通信端末。
【請求項３】
上記携帯通信端末は、さらに、
情報を記憶装置に記憶する情報記憶部を備え、
上記機能制限部は、上記情報記憶部が記憶した情報へのアクセスを制限する
ことを特徴とする請求項１記載の携帯通信端末。
【請求項４】
携帯通信端末の携帯通信端末制御方法において、
所定の基地局を特定する基地局特定情報を基地局記憶部が記憶装置に記憶する基地局記憶ステップと、
上記基地局記憶ステップで記憶した基地局特定情報から特定される基地局と接続しているか否かを基地局判定部が処理装置により判定する基地局判定ステップと、
上記基地局判定ステップで基地局と接続していると判定した場合、位置を示す位置情報を取得し位置情報取得部が記憶装置に記憶する位置情報取得ステップと、
上記位置情報取得ステップで取得した位置情報に基づき、所定の機能の実行を機能制限部が処理装置により制限する機能制限ステップと
を備えることを特徴とする携帯通信端末制御方法。
【請求項５】
携帯通信端末の携帯通信端末制御プログラムにおいて
所定の基地局を特定する基地局特定情報を基地局記憶部が記憶装置に記憶する基地局記憶ステップと、
上記基地局記憶ステップで記憶した基地局特定情報から特定される基地局と接続しているか否かを基地局判定部が処理装置により判定する基地局判定ステップと、
上記基地局判定ステップで基地局と接続していると判定した場合、位置を示す位置情報を取得し位置情報取得部が記憶装置に記憶する位置情報取得ステップと、
上記位置情報取得ステップで取得した位置情報に基づき、所定の機能の実行を機能制限部が処理装置により制限する機能制限ステップと
をコンピュータに実行させることを特徴とする携帯通信端末制御プログラム。
【発明の詳細な説明】
【技術分野】
【０００１】
本発明は、例えば、位置情報に基づき、特定の機能の実行を制限する携帯通信端末に関するものである。
【背景技術】
【０００２】
従来は、無線ＬＡＮ（Ｌｏｃａｌ  Ａｒｅａ  Ｎｅｔｗｏｒｋ）のホットスポット内にいるか否かにより動作モードの切替えを行う携帯電話機があった。
また、従来は、ＧＰＳ（Ｇｌｏｂａｌ  Ｐｏｓｉｔｉｏｎｉｎｇ  Ｓｙｓｔｅｍ）位置測位回路の無線回路部を携帯電話通信の無線回路と共用化して回路規模の削減、コストダウンを実現し、ＧＰＳ測位を携帯電話待ち受け時の間欠受信と連動させることで連続測位を可能とする技術が存在した。
【特許文献１】特開２００５−７９８４４号公報
【特許文献２】特開２００１−６９５７０号公報
【発明の開示】
【発明が解決しようとする課題】
【０００３】
従来の無線ＬＡＮのホットスポットなどを常時監視し測位する方式では、ユーザが任意の場所で携帯電話機のモード設定切替えを行うようにすることができないという課題があった。また、従来の無線回路部の間欠受信動作と連動して常時測位する方式では、常時電波受信を行うため消費電流が増大してしまうという課題があった。
本発明の実施の形態は、上記の課題を解決するためになされたもので、任意の場所で携帯通信端末の動作のモード設定切替えを行うことを可能とし、また、消費電流の増大を抑えることを目的とする。
【課題を解決するための手段】
【０００４】
本発明の実施の形態にかかる携帯通信端末は、所定の基地局を特定する基地局特定情報を記憶装置に記憶する基地局記憶部と、上記基地局記憶部が記憶した基地局特定情報から特定される基地局と接続しているか否かを処理装置により判定する基地局判定部と、上記基地局判定部が上記基地局と接続していると判定した場合、位置を示す位置情報を取得し記憶装置に記憶する位置情報取得部と、上記位置情報取得部が取得した位置情報に基づき、所定の機能の実行を処理装置により制限する機能制限部とを備えることを特徴とする。
【発明の効果】
【０００５】
本発明の実施の形態にかかる携帯通信端末は、所定の基地局と接続しているか否かを判定する基地局判定部と、基地局判定部が上記基地局と接続していると判定した場合、位置を示す位置情報を取得する位置情報取得部とを備えることにより、任意の場所で携帯電話機のモード設定切替えを行うことが可能であり、かつ、消費電流の増大を抑えることができる。
【発明を実施するための最良の形態】
【０００６】
まず、図１に基づき実施の形態にかかる携帯通信端末１００のハードウェア構成について説明する。図１は、実施の形態における携帯通信端末１００のハードウェア構成の一例を示す図である。
図１において、携帯通信端末１００は、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＬＣＤ（ｌｉｑｕｉｄ  ｃｒｙｓｔａｌ  ｄｉｓｐｌａｙ）９０１、Ｋ／Ｂ（Ｋｅｙ  Ｂｏａｒｄ）９０２、スピーカー１９、マイク２０と接続されている。ＣＰＵなどは、処理装置の一例である。
ＲＡＭ９１４は、揮発性メモリの一例である。ＲＯＭ９１３は、不揮発性メモリの一例である。これらは、記憶装置の一例である。
通信ボード９１５は、無線アンテナ、ＬＡＮ等に接続されている。通信ボード９１５、無線アンテナなどは、通信装置９８６の一例である。
また、Ｋ／Ｂ９０２、マイク２０などは、入力装置９８２の一例である。
また、ＬＣＤ９０１は、表示装置９８４の一例である。
【０００７】
ここで、通信ボード９１５は、ＬＡＮに限らず、直接、インターネット、或いはＩＳＤＮ等のＷＡＮ（ワイドエリアネットワーク）に接続されていても構わない。
ＲＯＭ９１３又はＲＡＭ９１４には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【０００８】
上記プログラム群９２３には、以下に述べる実施の形態の説明において「〜部」として説明する機能を実行するプログラムが記憶されている。プログラムは、ＣＰＵ９１１により読み出され実行される。
ファイル群９２４には、以下に述べる実施の形態の説明において、「〜判定」として説明するものが、「〜ファイル」として記憶されている。
また、以下に述べる実施の形態の説明において説明するフローチャートの矢印の部分は主としてデータの入出力を示し、そのデータの入出力のためにデータは、ＦＤ、光ディスク、ＣＤ、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【０００９】
また、以下に述べる実施の形態の説明において「〜部」として説明するものは、ＲＯＭ９１３に記憶されたファームウェアで実現されていても構わない。或いは、ソフトウェアのみ、或いは、ハードウェアのみ、或いは、ソフトウェアとハードウェアとの組み合わせ、さらには、ファームウェアとの組み合わせで実施されても構わない。
【００１０】
また、以下に述べる実施の形態を実施するプログラムは、また、ＦＤ、光ディスク、ＣＤ、ＭＤ、ＤＶＤ等のその他の記録媒体による記録装置を用いて記憶されても構わない。
【００１１】
実施の形態１．
次に、実施の形態１について説明する。実施の形態１では、所定の基地局と接続している場合に、位置情報を取得し、機能の制限をかけるか否かのモード切替えを行う携帯通信端末１００について説明する。
【００１２】
まず、図２に基づき実施の形態１にかかる携帯通信端末１００の機能について説明する。図２は、実施の形態１にかかる携帯通信端末１００の機能を示す機能ブロック図である。
【００１３】
携帯通信端末１００は、無線通信用アンテナ１０、無線通信部１１、信号処理部１２、ＧＰＳ受信用アンテナ１３、ＧＰＳ受信部１４、制御部１５、メモリ１６、表示部１７、操作部１８、スピーカー１９、マイク２０、入力装置９８２、表示装置９８４を備える。
【００１４】
無線通信用アンテナ１０と無線通信部１１とは、基地局と通話やデータ通信を行うための回路である。無線通信用アンテナ１０と無線通信部１１とは、基地局特定情報の一例である基地局コードを取得する。制御部１５は、信号処理部１２を介して基地局コードを認識し、メモリ１６に格納する。
ＧＰＳ受信部１４は、制御部１５の指示に基づき、携帯通信端末１００の現在位置を測位する。ＧＰＳ受信部１４は、例えば、ＧＰＳ衛星などからＧＰＳ受信用アンテナ１３が電波を受信し、相関計算を行った結果を制御部１５に送信する。そして、制御部１５は、現在地の緯度経度を算出し、算出結果をメモリ１６に記憶する。
制御部１５は、携帯通信端末１００を制御するものであり、例えば、ＣＰＵ９１１などである。
メモリ１６は、登録情報の記憶やソフトウエアを格納しておく記憶装置の一例である。
表示部１７は、後述する情報記憶部１１６などがメモリ１６に記憶した電話帳データなどを表示装置９８４に表示する。操作部１８は、後述する所定の位置の登録、後述する所定の範囲の設定、後述する情報記憶部１１６による情報の登録、読み出しの指示を入力装置９８２などにより行う。携帯通信端末１００は、表示された電話帳情報により電話をかけて通話したり、電子メールを送信したりすることができ、その他、一般的な携帯電話機などと同様の機能を有している。
スピーカー１９は、音声通話用の受話器の一例である。また、マイク２０は、音声通話用の送話器の一例である。
【００１５】
さらに、携帯通信端末１００の機能について詳細に説明する。ＧＰＳ受信部１４は、位置情報取得部１３０を備える。また、制御部１５は、記憶部１１０、判定部１２０、機能制限部１４０を備える。ここで、携帯通信端末１００は、例えば、携帯電話、ＰＨＳ（Ｐｅｒｓｏｎａｌ  Ｈａｎｄｙｐｈｏｎｅ  Ｓｙｓｔｅｍ，登録商標）、ＰＤＡ（Ｐｅｒｓｏｎａｌ  Ｄｉｇｉｔａｌ  Ａｓｓｉｓｔａｎｔ）、ノートＰＣ（Ｐｅｒｓｏｎａｌ  Ｃｏｍｐｕｔｅｒ）などである。また、実施の形態１において、基地局は、携帯電話、ＰＨＳなどの基地局や、無線ＬＡＮのアクセスポイントなどである。
【００１６】
位置情報取得部１３０は、後述する基地局判定部１２２が基地局特定情報から特定される基地局と接続していると判定した場合、位置を示す位置情報を取得し記憶装置に記憶する。位置情報取得部１３０が取得する位置情報とは、例えば、携帯通信端末１００の位置情報である。つまり、位置情報取得部１３０は、例えば、基地局特定情報から特定される基地局の通信エリア内に携帯通信端末１００が存在する場合、携帯通信端末１００の位置情報を取得する。位置情報取得部１３０は、例えば、ＧＰＳ衛星などからＧＰＳ受信用アンテナ１３が電波を受信し、相関計算を行った結果を制御部１５に送信することにより携帯通信端末１００の現在位置を取得する。
【００１７】
記憶部１１０は、メモリ１６に各種情報を記憶する。基地局記憶部１１２、位置記憶部１１４、情報記憶部１１６を備える。
基地局記憶部１１２は、所定の基地局を特定する基地局特定情報をメモリ１６に記憶する。所定の基地局とは、例えば、後述する位置記憶部１１４が記憶した位置特定情報から特定される位置を通信範囲として含む基地局である。また、基地局特定情報とは、例えば、基地局に振られた基地局コード（例えば基地局セル毎に異なる拡散コードなど）などであり、基地局を特定できるものであれば何でも構わない。
位置記憶部１１４は、所定の位置を特定する位置特定情報をメモリ１６に記憶する。所定の位置とは、携帯通信端末１００の使用者が任意に決定することが可能な位置である。所定の位置は、例えば、操作部１８などにより指定しても構わない。また、所定の位置は、例えば、操作部１８などの指示に基づき、位置情報取得部１３０が取得した位置としても構わない。
情報記憶部１１６は、情報をメモリ１６に記憶する。情報は、電話帳データ、メールデータなど、任意の情報で構わない。
【００１８】
判定部１２０は、処理装置などにより各種判定を行う。判定部１２０は、基地局判定部１２２、位置判定部１２４を備える。
基地局判定部１２２は、基地局記憶部１１２が記憶した基地局特定情報から特定される基地局と接続しているか否かを処理装置により判定する。つまり、基地局判定部１２２は、例えば、基地局特定情報から特定される基地局の通信エリア内に携帯通信端末１００が存在するか否かを判定する。
位置判定部１２４は、位置情報取得部１３０が取得した位置情報により示される位置が、位置記憶部１１４が記憶した位置特定情報から特定される位置を含む所定の範囲に含まれるか否かを処理装置により判定する。所定の範囲とは、例えば、携帯通信端末１００が有する位置測定機能の精度を最小とする距離である。所定の範囲は、これに限られるわけではなく、例えば、位置特定情報から特定される位置を中心とした操作部１８などにより指定された範囲などでも構わない。
【００１９】
機能制限部１４０は、位置情報取得部１３０が取得した位置情報に基づき、携帯通信端末１００が有する所定の機能の実行を処理装置により制限する。機能制限部１４０は、例えば、位置情報取得部１３０が取得した位置情報により示される位置が、位置記憶部１１４が記憶した位置の所定の範囲に含まれないと位置判定部１２４が判定した場合、所定の機能の実行を制限する。機能制限部１４０は、例えば、情報記憶部１１６が記憶した情報へのアクセスを制限する。つまり、機能制限部１４０は、例えば、携帯通信端末１００が、位置記憶部１１４が記憶した位置の所定の範囲に存在しないと位置判定部１２４が判定した場合、情報記憶部１１６が記憶した情報へのアクセスを制限する。
【００２０】
次に、図３に基づき実施の形態１にかかる携帯通信端末１００の動作について説明する。図３は、実施の形態１にかかる携帯通信端末１００の動作である携帯通信装置制御方法を示すフローチャートである。
【００２１】
まず、位置記憶ステップ、基地局記憶ステップ（Ｓ１０１）では、位置記憶部１１４は、所定の位置を特定する位置特定情報を記憶装置に記憶する。また、基地局記憶部１１２は、所定の基地局を特定する基地局特定情報を記憶装置に記憶する。携帯通信端末１００は、例えば、位置情報取得部１３０により携帯通信端末１００の位置情報を取得する。次に、位置記憶部１１４は、位置情報取得部１３０が取得した携帯通信端末１００の位置情報を所定の位置として記憶する。そして、基地局記憶部１１２は、位置情報取得部１３０が取得した携帯通信端末１００の位置情報が示す位置を通信エリアとして含む基地局を所定の基地局として記憶する。つまり、基地局記憶部１１２は、例えば、位置情報取得部１３０が位置情報を取得した場合に携帯通信端末１００と接続している基地局を所定の基地局として記憶する。
【００２２】
次に、機能制限ステップ（Ｓ１０２）では、機能制限部１４０は、所定の機能の実行を処理装置により制限する。機能制限部１４０は、例えば、位置情報取得部１３０が取得した携帯通信端末１００の位置情報が示す位置が、位置記憶ステップ（Ｓ１０１）で位置記憶部１１４が記憶した位置を含む所定の範囲外の場合に、所定の機能の実行を制限する。
【００２３】
次に、基地局判定ステップ（Ｓ１０３）では、基地局判定部１２２は、基地局記憶部１１２が記憶した基地局特定情報から特定される基地局と接続しているか否かを処理装置により判定する。携帯通信端末１００は、通信している基地局が切替った場合に基地局に対して位置登録を行うが、この場合に、基地局判定部１２２は、例えば、その基地局の基地局特定情報を取得する。そして、基地局判定部１２２は、例えば、通信している基地局と基地局記憶部１１２が記憶した基地局特定情報から特定される基地局とが同一か否かを基地局特定情報が一致するか否かにより判定する。
基地局判定部１２２は、基地局記憶部１１２が記憶した基地局特定情報から特定される基地局と接続していると判定した場合（Ｓ１０３でＹｅｓ）、位置情報取得ステップ（Ｓ１０４）へ進む。また、基地局判定部１２２は、基地局記憶部１１２が記憶した基地局特定情報から特定される基地局と接続していないと判定した場合（Ｓ１０３でＮｏ）、基地局判定ステップ（Ｓ１０３）を再度行う。
【００２４】
次に、位置情報取得ステップ（Ｓ１０４）では、位置情報取得部１３０は、携帯通信端末１００の位置を示す位置情報を取得し記憶装置に記憶する。位置情報取得部１３０は、例えば、ＧＰＳ測位機能を動作させて携帯通信端末１００の現在位置を測位する。
【００２５】
次に、位置判定ステップ（Ｓ１０５）では、位置判定部１２４は、位置情報取得部１３０が取得した位置情報により示される位置が、位置記憶ステップ（Ｓ１０１）で位置記憶部１１４が記憶した位置特定情報から特定される位置を含む所定の範囲に含まれるか否かを処理装置により判定する。位置判定部１２４は、位置情報により示される位置が、位置特定情報から特定される位置を含む所定の範囲に含まれると判定した場合（Ｓ１０５でＹｅｓ）、制限解除ステップ（Ｓ１０６）へ進む。また、位置判定部１２４は、位置情報により示される位置が、位置特定情報から特定される位置を含む所定の範囲に含まれないと判定した場合（Ｓ１０５でＮｏ）、基地局判定ステップ（Ｓ１０３）へ戻る。
【００２６】
そして、制限解除ステップ（Ｓ１０６）では、機能制限部１４０は、所定の機能に対して行った実行の制限を処理装置により解除する。つまり、携帯通信端末１００は、所定の機能を実行することが可能となる。
【００２７】
次に、図４に基づき携帯通信装置制御方法の一例を説明する。図４は、携帯通信装置制御方法の一例を示す図である。
【００２８】
図４において、自宅１は、位置記憶部１１４が予め位置情報として位置を登録する場所の一例である。地点２は、位置記憶部１１４が位置の登録を行った緯度、経度が示す位置である。地点３ａに携帯通信端末１００がいる場合は、位置記憶部１１４が記憶した位置情報が示す位置にいる状態である。地点３ｂに携帯通信端末１００がいる場合は、位置記憶部１１４が記憶した位置情報が示す位置とは異なる基地局の通信エリアにいる状態である。地点３ｃに携帯通信端末１００がいる場合は、位置記憶部１１４が記憶した位置情報が示す位置と同じ基地局の通信エリアにいる状態である。地点３ｄに携帯通信端末１００がいる場合は、位置記憶部１１４が記憶した位置情報が示す位置にいる状態である。基地局Ａ４は、位置記憶部１１４が予め位置の登録を行った時に接続していたコードＡを有する携帯電話基地局である。エリアＡ５は、基地局Ａ４の電波が届く範囲を示す通信エリアである。人工衛星６は、位置測位を行う時に用いるＧＰＳ衛星などであり、複数存在していても構わない。基地局Ｂ７は、基地局Ａ４とは別の場所にあるコードＢを有する携帯電話基地局である。エリアＢ８は、基地局Ｂ７の電波が届く範囲を示す通信エリアである。特定エリアＳ９は、自宅で登録した測位地点２を中心に携帯通信端末１００のモード切替えを行う範囲を示すエリアである。ここで、Ｓの半径は、携帯通信端末１００が有する測位精度を最小値とする距離であり、例えば、１５ｍ程度であるとする。
【００２９】
ここで、携帯通信端末１００は、他人に見られたくない電子電話帳のリストデータをシークレットフォルダに登録しておくと、特定の場所、例えば自宅でのみ電子電話帳のリストデータを読み出すことができ、外出先、勤務先などでは読み出せないように自動的にモードを切替るものとする。ここで、シークレットフォルダは、情報記憶部１１６の一例である。
【００３０】
まず自宅１の地点３ａにおいて、位置記憶部１１４は位置情報として位置を登録する。この場合、位置記憶部１１４は、ＧＰＳ受信部１４の位置情報取得部１３０により位置情報を取得する。例えば、位置情報取得部１３０は、人工衛星６からの電波を用いＧＰＳ測位機能により携帯通信端末１００の位置の緯度、経度情報を取得し、位置記憶部１１４は、取得した経度、緯度情報を携帯通信端末１００のメモリ１６に登録する。ここで、取得した位置情報が示す位置が地点２であったとする。また、その時に、基地局記憶部１１２は、携帯通信端末１００が接続している基地局Ａ４のコードＡを携帯通信端末１００のメモリ１６に登録する（Ｓ１０１）。
【００３１】
ここで、機能制限部１４０は、地点２から所定の範囲である特定エリアＳ９内のみ、シークレットフォルダに記憶した電子電話帳のリストデータを読み出しすることができるように制限する（Ｓ１０２）。
【００３２】
次に、例えば、携帯通信端末１００の使用者が携帯通信端末１００を持って外出して、基地局Ａ４のエリアＡ５から離れ、基地局Ｂ７のエリアＢ８に入ったとする。この場合、携帯通信端末１００は、例えば地点３ｂの位置において基地局に対し位置登録を行い、基地局Ｂ７のコードＢを取得する。基地局判定部１２２は、予め登録したコードＡとコードＢとの照合を行う。基地局判定部１２２は、コードが異なると判定する。そして、機能制限部１４０は、シークレットフォルダに登録した電子電話帳情報を読み出し不可能とするモードに切替る（Ｓ１０３でＮｏ）。
【００３３】
次に、例えば、携帯通信端末１００の使用者が外出先から自宅へ戻り、地点３ｃの位置に来たとする。携帯通信端末１００が位置登録することによって、記憶する基地局のコードがコードＢからコードＡに変わる。ここで、基地局判定部１２２は、コードの照合を行う。基地局判定部１２２は、コードＡが予め登録したコードＡと一致すると判定する（Ｓ１０３でＹｅｓ）。
【００３４】
次に、位置情報取得部１３０は、ＧＰＳ測位機能を動作させて携帯通信端末１００の現在位置を取得する。位置情報取得部１３０は、取得した位置情報をメモリ１６に登録する（Ｓ１０４）。
【００３５】
この場合、位置判定部１２４は、例えば、測位結果と予め登録した地点２との距離を算出する。そして、位置判定部１２４は、地点３ｃの位置では特定エリアＳ９の範囲外であるから、シークレットフォルダ読み出し禁止モードは継続する（Ｓ１０５でＮｏ）。
【００３６】
次に、基地局判定部１２２は、所定のタイミングで、基地局のコードの照合を行う（Ｓ１０３）。ここで、携帯通信端末１００が地点３ｄの位置に至った場合、位置情報取得部１３０がＧＰＳ測位機能により取得した現在位置に基づき、位置判定部１２４は、携帯通信端末１００が特定エリアＳの範囲内に入ったと判断する（Ｓ１０５でＹｅｓ）。
【００３７】
次に、機能制限部１４０は、シークレットフォルダ読み出し禁止モードを解除して、シークレットフォルダに記憶した電子電話帳のリストデータを読み出し可能とする（Ｓ１０６）。
【００３８】
このように動作することで、外出先などでは自動的にシークレットフォルダ内の電子電話帳が使用できない状態となり、自宅に戻るとパスワードなどの入力をすることなしに、自動的にシークレットフォルダ内の電子電話帳が使用できる状態となる。
セキュリティのかけ方はこれに限られるわけではなく、外出先ではパスワードを入力することで使用できる状態とし、自宅ではパスワードを入力することなしに、使用できる状態としても構わない。また、外出先では使用できない状態とし、自宅ではパスワードを入力することで使用できる状態としても構わない。
【００３９】
上記携帯通信装置制御方法では、位置判定ステップ（Ｓ１０５）で、携帯通信端末１００が所定の位置にないと位置判定部１２４が判断した場合（Ｓ１０５でＮｏ）、基地局判定ステップ（Ｓ１０３）から改めて行っていた。しかし、これに限られるわけではなく、例えば、位置判定ステップ（Ｓ１０５）で、携帯通信端末１００が所定の位置にないと位置判定部１２４が判断した場合（Ｓ１０５でＮｏ）、位置判定ステップ（Ｓ１０５）のみを繰り返すようにしても構わない。つまり、この場合には、携帯通信端末１００が基地局に対し改めて位置登録した場合にのみ、基地局判定ステップ（Ｓ１０３）から行うようにする。
【００４０】
実施の形態１にかかる携帯通信端末１００によれば、他人に見られたくない電子電話帳のリストデータを情報記憶部１１６の一例であるシークレットフォルダに登録しておくことで、パスワードを入力しなくても、特定の場所、例えば自宅でのみ電話帳のリストを読み出すことができ、外出先、勤務先などでは読み出せないように自動的に動作のモードを切替えることができる。
【００４１】
また、実施の形態１にかかる携帯通信端末１００によれば、図２に示すように、携帯通信端末１００の一例であるＧＰＳ測位機能を有する一般的な携帯電話機などにおいて、携帯通信端末１００と通信する基地局の基地局コードが、所定の基地局コード以外の場合には、動作のモード切替え要否確認のためにＧＰＳ受信部１４を動作させないので、従来の場合と比べ待ち受け状態における消費電流を低減することが可能となる。
【００４２】
実施の形態１にかかる携帯通信端末１００の一例である携帯電話機は、無線通信接続手段により通話及びデータの通信を行う携帯電話機において、現在接続している基地局コード番号を読み出す手段と、そのコードを内部のメモリに記憶する手段と、接続している基地局が変わった時に読み出したコードを記憶したコードと照会する手段と、ＧＰＳ等により現在位置を測位する手段と、その測位手段で得た特定地点の緯度経度情報を記憶する手段と、携帯電話機内に記憶している電話帳等特定の情報の登録情報を特定の条件の時に読み出し禁止、またはその時のみ読み出し可能とする制御手段とを有し、現在接続している基地局コードが記憶した基地局コードを照合して一致した時に、正確な現在位置を測位するために測位手段を動作させ、記憶した特定地点の緯度経度情報と現在位置との間の距離が任意に設定した距離以内になったかどうか判断する手段とを持ち、任意の距離以内になった場合に、携帯電話機に記憶されている特定の情報の読み出しを禁止、またはその場合のみ読み出し可能とするように制御する手段を有する。
【図面の簡単な説明】
【００４３】
【図１】実施の形態における携帯通信端末１００のハードウェア構成の一例を示す図である。
【図２】実施の形態１にかかる携帯通信端末１００の機能を示す機能ブロック図である。
【図３】実施の形態１にかかる携帯通信端末１００の動作である携帯通信装置制御方法を示すフローチャートである。
【図４】携帯通信装置制御方法の一例を示す図である。
【符号の説明】
【００４４】
１  自宅、２，３ａ，３ｂ，３ｃ，３ｄ  地点、４  基地局Ａ、５  エリアＡ、６  人工衛星、７  基地局Ｂ、８  エリアＢ、９  特定エリアＳ、１０  無線通信用アンテナ、１１  無線通信部、１２  信号処理部、１３  ＧＰＳ受信用アンテナ、１４  ＧＰＳ受信部、１５  制御部、１６  メモリ、１７  表示部、１８  操作部、１９  スピーカー、２０  マイク、１００  携帯通信端末、１１０  記憶部、１１２  基地局記憶部、１１４  位置記憶部、１１６  情報記憶部、１２０  判定部、１２２  基地局判定部、１２４  位置判定部、１３０  位置情報取得部、１４０  機能制限部、９０１  ＬＣＤ、９０２  Ｋ／Ｂ、９０４  ＦＤＤ、９０５  ＣＤＤ、９０８  データベース、９０９  システムユニット、９１０  サーバ、９１１  ＣＰＵ、９１２  バス、９１３  ＲＯＭ、９１４  ＲＡＭ、９１５  通信ボード、９２１  ＯＳ、９２２  ウィンドウシステム、９２３  プログラム群、９２４  ファイル群、９４１  ゲートウェイ、９８０  記憶装置、９８２  入力装置、９８４  表示装置、９８６  通信装置。
【図１】
2007142905.tif 000003
【図２】
2007142905.tif 000004
【図３】
2007142905.tif 000005
【図４】
2007142905.tif 000006